(57)【要約】【課題】  多種類のスカート、ズボン等のウェスト部の調節を可能にするとともに、ウェスト部の調節に必要な長さの測定も可能にすることを目的とする。【解決手段】  複数連結された駒２，４，８，１０からなる帯体５の一方の端部の駒８の端部８ｇ側に取り付けられ、駒８の端部８ｇ側を中心に回動することが可能であり、スカート、ズボン等のウェスト部の一方の合わせ部に取り付けられた受止片と係止することが可能である第一雄ホック体１４（第二雄ホック体１５）と、駒２，４，８，１０同士の連結部分Ｇと、複数連結された駒２，４，８，１０の両端部の駒８，１０とを挟むように取り付けられ、スカート、ズボン等のウェスト部の一方の合わせ部に取り付けられた雄鉤片と掛止することが可能である複数の受止ホック体１２と、を備えるウェスト調節具１を提供する。【選択図】      図１
2006022462.tif 000002
【特許請求の範囲】
【請求項１】
複数の駒の端部同士を回動自在に連結してなる帯体と、
該帯体の長手方向の一方側に設けられ、ズボン等の下肢を覆う外衣の開閉できる合わせ部の、一方の合わせ部に取り付けられた雄鉤片又は他方の合わせ部に取り付けられた受止片とのいずれか一方と掛止するための雄ホック体と、
該帯体の他方側に設けられ、前記雄鉤片又は受止片のいずれか他方と掛止するための受止ホック体と、を備えることを特徴とするウェスト調節具。
【請求項２】
前記雄ホック体が前記帯体の端部に設けられた折返片であり、該折返片の内側に抜止部材を設けたことを特徴とする請求項１記載のウェスト調節具。
【請求項３】
前記抜止部材が板バネであることを特徴とする請求項２記載のウェスト調節具。
【請求項４】
前記雄ホック体が、その一端側を中心に回動可能であることを特徴とする請求項１記載のウェスト調節具。
【請求項５】
前記帯体及び受止ホック体が金属製又はセラミック製で、前記受止ホック体が複数あり、前記帯体上に所定の間隔で配置されていることを特徴とする請求項１から４のいずれかに記載のウェスト調節具。
【請求項６】
前記雄ホック体が前記帯体の両端に設けられ、両端の雄ホック体の大きさを相違させたことを特徴とする請求項１から５のいずれかに記載のウェスト調節具。
【発明の詳細な説明】
【技術分野】
【０００１】
本発明は、スカート、ズボン等の下肢を覆う外衣のウェストを調節するためのウェスト調節具に関する。
【背景技術】
【０００２】
スカート、ズボン等の下肢を覆う外衣のウェスト部は、着脱を容易にするために、多くの場合に合わせ部で開閉できるようになっている。一般に、その合わせ部では、一方の合わせ部には、折り返し形成した舌状の鉤片を有する雄鉤片が取り付けられており、他方の合わせ部には、その雄鉤片と掛止する受止片が取り付けられている。そして、雄鉤片と受止片とを掛止することにより、スカート、ズボン等の下肢を覆う外衣のウェスト部は人体のウェストにフィットすることになっている。
【０００３】
一般に、雄鉤片と受止片とを掛止し、スカート、ズボン等のウェスト部を人体のウェストにフィットした状態で食事をし、満腹になったときにはスカート、ズボン等のウェスト部をきつく感じることがある。また、人は年とともに太る傾向があり、それに伴いウェスト（腹）も出てくる傾向が高い。そのためスカート、ズボン等については、昨年着ていたものが今年は着れなくなるということがよくある。着れなくなるというところまでいかなくても、スカート、ズボン等のウェスト部がきつくなるということはよくある。特に、上着であるジャケット等は着ることができるのにスカート、ズボン等はウェスト部がきつくなってしまっているということもよくあることである。
【０００４】
特に、気付かないうちにスカート、ズボン等のウェスト部がきつくなってしまっているのというのは、礼服について起こりうることである。礼服は、基本的には頻繁に使用されるということは少なく、たまに着てみると上着は着ることができるが、スカート、ズボン等のウェスト部がきつくなっているということがある。また、礼服以外でも気に入っているスカート、ズボンで捨てるにはもったいないし、ウェスト等を直すとなると金額が嵩んでしまうのでこのまま着ようか迷う場合もある。
【０００５】
そのために、スカート、ズボン等のウェスト部を簡易な機構で調節するために以下のよぅな調節具が開示されている。例えば、図１２においてはウエストサイズ調節具５００が示されている。このウエストサイズ調節具５００では、ズボンの合わせ部である開放端部の一端に雄ホック体５０１を取り付けてある。この雄ホック体５０１は、長手方向に伸びる２本のガイド縁６１２，６１２の間に溝６００を形成したスライドガイド部材５１０と、そのスライドガイド部材５１０の長手方向に摺動するスライドホック部材５１１とから構成されている。さらに、スライドガイド部材５１０は、生地（スカート、ズボン等の合ゎせ部である開放端部の一端）への取付手段となる取付爪６０３を垂下している。また、受止体５０２は生地（スカート、ズボン等の合わせ部である開放端部の他端）への固着手段となる固定板５２１と受止爪５２０とから構成されており、雄ホック体５０１と相互の掛止ができるようになっている。
【０００６】
スライドガイド部材５１０は、使用者のウェストに沿う湾曲形状となるように、溝６００の両端部に至るほど反り上がった形態をなし、溝６００の底面には係合突起６０１が押し出し成形により６本配列されている。また、スライドホック部材５１１の平板部６１３の中央部には、溝６００内を摺勤し且つ係合突起６０１に対して係止可能となる係合爪６１１が形成されている。そして、雄ホック体５０１と受止体５０２とを取り外した状態で、スライドホック部材５１１を指でスライドさせると、係合爪６１１が係止している係合突起６０１を乗り越えることができる。
【０００７】
以上の構成により、スライドガイド部材５１０に対してスライドホック部材５１１を指でスライドさせる際に、係合爪６１１の円滑なスライドが行われ、係合爪６１１と係合突起６０１との確実な係止が確保されることとなる。そして、平板部６１３のＵ字状に湾曲して形成される湾曲側舌片である鉤ホック部６１０を受止体５０２に嵌入することになっている（特許文献１参照）。
【０００８】
また、スカート、ズボン等のウェスト部を簡易な機構で調節するため別の構成としては、図１３に示すような伸縮調整鉤ホック７０１が開示されている。この伸縮調整鉤ホック７０１は、ウェスト部の内側生地の外側に縫着する伸縮調整鉤ホック７０１と、外側生地の内側に縫着する受止具７０４とから構成されている。伸縮調整鉤ホック７０１は、鉤ホック基体７０２の内側に設けられた止め弁７２２に収縮コイルバネを使用する圧縮バネ７３１の右端を嵌合固定し、次いで掛け用隙間７３２を設けた鉤片７３３を有するホック基板７３６を前記鉤ホック基体７０２の摺動用レール７２３に沿って移動させて嵌合する。
【０００９】
鉤ホック基体７０２上に嵌合された鉤ホック主体７０３は、圧縮バネ（収縮コイルバネ）７３１の右端が止め弁７２２で固定され、一方、圧縮バネ７３１の左端はホック基板７３６の左側面に設けられた突片７３４に接する構造となっている。図１４は、ウェスト部の内側生地Ａの外側に縫着する伸縮調整鉤ホック７０１と、外側生地Ｂの内側に縫着する受止具７０４の断面を示す断面図であり、先に伸縮調整鉤ホック７０１をウェスト部の内側生地Ａの外側に縫着し、次いで、受止具７０４の係止部７４１が、鉤片７３３の下の掛け用隙間７３２に験合できる位置に縫着孔７４２を合わせて縫着する。
【００１０】
これらの係止により、一旦係止した後は、着用者の腹部の膨れ具合に沿ってウェスト部の内側生地Ａ自体も外方向に膨れるために、受止具７０４の係止部７４１を中心に、鉤片７３３を介してホック基板７３６及び突片７３４が右方向に圧縮バネ７３１を押しながら移動する（特許文献２参照）。
【特許文献１】特開２００３一１３５１０８号公報（段落００１８から段落００２３  、図２）
【特許文献２】特開２００３一３２５２０７号公報（段落００１４から段落００１８  、図１、図５）
【発明の開示】
【発明が解決しようとする課題】
【００１１】
しかしながら、上記に示すウエストサイズ調節具５００及び伸縮調整鉤ホック７０１はスカート、ズボン等のウェスト部の合わせ部の生地に縫着等により固着するものであるため、そのウエストサイズ調節具５００及び伸縮調整鉤ホック７０１が固着されたスカート、ズボン等にだけしか使用できないものである。それ故、他のウェスト部がきつくなったスカート、ズボン等についても同様にウエストサイズ調節具５００、伸縮調整鉤ホック７０１等のウェスト調節具５００を取り付けなければならない。一般に、ウエストサイズ調節具５００、伸縮調整鉤ホック７０１等のウェスト調節具をスカート、ズボン等に取り付ける（固着する）場合には縫い付けて取り付けることになるため、時間、手間等がかかるものである。
【００１２】
また、このようなウエストサイズ調節具５００、伸縮調整鉤ホック７０１等では、どのくらいの長さ調節されているのか正確な長さを把握することが難しいのが一般的である。それは、ウエストサイズ調節具５００、伸縮調整鉤ホック７０１等では任意の長さを調節することはできるが、調節した長さを数値で表現することが難しいからである。それ故、他のきつくなったスカート、ズボン等について直しに出すとしても改めてウェストの寸法を計り直さなければならないというのが現実である。
【００１３】
本発明は、上記の事情に鑑みなされたものであり、特定のスカート、ズボン等のウェスト部の調節だけでなく、他のスカート、ズボン等のウェスト部の調節を可能にするとともに、スカート、ズボン等を直しに出す場合でも寸法を計り直しをなくすことを可能にするウェスト調節具を提供することを目的とする。
【課題を解決するための手段】
【００１４】
上記の目的を達成するために、本発明のウェスト調節具は、複数の駒の端部同士を回動自在に連結してなる帯体と、この帯体に設けられ、ズボン等の下肢を覆う外衣の開閉できる合わせ部の、一方の合わせ部に取り付けられた雄鉤片又は他方の合わせ部に取り付けられた受止片とのいずれか一方と掛止するための雄ホック体と、前記帯体に設けられ、前記雄鉤片又は受止片のいずれか他方と掛止するための受止ホック体と、を備えることを特徴としている。
【００１５】
前記雄ホック体が前記帯体の端部に設けられた折返片であり、該折返片の内側に抜止部材を設けた構成としたり、前記抜止部材が板バネである構成としたり、前記雄ホック体が、その一端側を中心に回動可能である構成としたり、前記受止ホック体が複数あり、前記帯体上に所定の間隔で配置されている構成としたり、前記雄ホック体が前記帯体の両端に設けられ、両端の雄ホック体の大きさを相違させた構成としたりすることができる。
【発明の効果】
【００１６】
本発明のウェスト調節具によれば、複数の駒を連結した帯体の雄ホック体と、外衣の合わせ部の雄鉤片又は受止片の一方とを掛止し、雄鉤片又は他方受止片の他方を受止ホック体に掛止することで、スカート、ズボン等のウェスト部の調節を行うことが可能になる。また、複数連結された駒は回動自在に連結されているので、帯体は、人のウェストの曲線に沿って湾曲することが可能となり、ウェストに適合（フィット）し易い。また、１つのウェスト調節具を外衣の合わせ部から着脱することで複数の外衣に使用することができる。
【００１７】
雄ホック体が前記帯体の端部に設けられた折返片であり、該折返片の内側に抜止部材を設けた構成とすれば、雄ホック体の内部に掛止された雄鉤片又は受止片は簡単に抜け出ることができなくなる。これによって、ウェスト調節具を使用しない状態で外衣の雄鉤片又は受止片に雄ホック体を掛止してぶら下げた状態にしたとき、ウェスト調節具が外れて落下するのを防止することができる。抜止部材が板バネであれば、掛止した雄鉤片又は受止片の取り外しが容易にできる。
【００１８】
受止ホック体が複数あり、前記帯体上に所定の間隔で配置されている構成とすると、雄鉤片又は受止片を任意の受止ホック体と掛止することができ、同時に、どの程度ウェストの長さを調節すればよいか正確に計ることができる。
【００１９】
雄ホック体が前記帯体の両端に設けられ、両端の雄ホック体の大きさを相違させた構成とすることで、外衣に取り付けられた雄鉤片や受止片の大きさに応じて使い分けすることができる。
【発明を実施するための最良の形態】
【００２０】
以下、本発明を実施するための最良の形態について図面を参照して説明する。
【００２１】
図１に本発明であるウェスト調節具１が示してある。このウェスト調節具１は、図１に示すように、複数の駒２，４，８，１０が回動自在に連結されて帯体５を構成している。各駒２，４，８，１０は平板に近い形状をなしており、各駒２，４，８，１０の長手方向に沿って湾曲して反り上がった形状をなしている。また、各駒２，４，８，１０の端部（端面）には、凹部、或いは凸部が形成されており、その凹部と凸部を嵌合させることで、各駒２，４，８，１０同士の連結が行われている。
【００２２】
本発明であるウェスト調節具１の端部となる駒８は、図２に示すように、細長い平板状の部材である。駒８の一方の端部（端面）８ａの中央部には凸部８ｂが設けられている。また、凸部８ｂには、孔部８ｄが設けられており、凸部８ｂを貫通している。さらに、駒８の側面８ｃには、駒８の一方の側面８ｃから他方の側面８ｃを貫通する孔部８ｄが設けられている。また、駒８では、図２に示すように、矢印Ａ方向に沿って（駒８の長手方向に沿って）、表面部８ｅが湾曲して反り上がっている。
【００２３】
帯体５の一方側の端部、すなわち、駒８の端部８ｇ側には、雄ホック体（第一雄ホック体）１４が取り付けられている（図２参照）。雄ホック体１４は、図４に示すように、駒８の端部８ｇ側を中心に矢印Ｂ方向へ回動することが可能になっている。雄ホック体１４が駒８の端部８ｇ側を中心に回動するために、図３及び図４に示すように、保持部材１６及び支持部材１８が設けられている。具体的には、保持部材１６を中心に、雄ホック体１４と支持部材１８とが保持部材１６を挟み込んでいる。そして、雄ホック体１４の端部が保持部材１６の端部に組み込まれることになる。具体的には、保持部材１６の一方の端部は円弧状の形状（円弧状部１６ａ）が形成されており、この円弧状部１６ａが雄ホック体１４の一方の端部１４ａの切欠部１４ｂに組み込まれ、円弧状部１６ａを支え部１４ｃ，１４ｃで挟み込んでいる。そして、駒８の端部８ｇ側の円弧状部１６ａを中心に雄ホック体１４が回動することになる。
【００２４】
そのため、支持部材１８の一方の端部１８ａには、保持部材１６の円弧状部１６ａが支持部材１８内に入り込めるように切欠部１８ｃが設けられており、切欠部１８ｃに隣り合って支持部１８ｄ，１８ｄが設けられている。そして、雄ホック体１４の切欠部１４ｂに隣り合う支え部１４ｃ，１４ｃと支持部材１８の一方の端部に設けられた支持部１８ｄ，１８ｄとが接触している（支え部１４ｃ，１４ｃと支持部１８ｄ，１８ｄとが重なっている）。そして、支え部１４ｃ，１４ｃ同士を連結する連結部１４ｄが円弧状部１６ａ内に
延びている。この連結部１４ｄは、円弧状部１６ａより挟み込まれ、円弧状部１６ａに接触しており、雄ホック体１４は、この連結部１４ｄを中心に回動することになる。また、支持部材１８の他方の端部１８ｂは保持部材１６に固定されている。さらに、雄ホック体１４と駒８との問に雄ホック体（第二雄ホック体）１５が設けられるように、保持部材１６の円弧状部１６ａ上の中央部で、雄ホック体１４に被われる位置に雄ホック体１４より小さい（幅の狭い）雄ホック体（第二雄ホック体）１５が設けられている。なお、図
３及び図４では、雄ホック体１４，１５、保持部材１６及び支持部材１８の関係を明確に
するために、駒８を省いて示してある。
【００２５】
雄ホック体１４の具体的な動作については、図４に示すようになる。具体的には、図４に示す矢印Ｂ方向へ雄ホック体１４の他方の端部１４ｂを、雄ホック体１４の一方の端部１４ａ（連結部１４ｄ）を中心に回動させる（図４（ａ）参照）。雄ホック体１４の他方の端部１４ｂが矢印Ｂ方向へ移動するに従って、雄ホック体１４の一方の端部１４ａにある支え部１４ｃ，１４ｃが支持部材１８の支持部１８ｄ，１８ｄ上を摺動する。支持部材１８自体が弾力性のある部材であるため、雄ホック体１４の支え部１４ｃ，１４ｃが支持部材１８の支持部１８ｂ，１８ｂを摺動することで支持部材１８の支持部１８ｂ，１８ｂが撓む（図４（ｂ）の点線で示す支持部１８ｄ，１８ｄ）。
【００２６】
そして、雄ホック体１４の他方の端部１４ｂは、図４（ｂ）に示すように、雄ホック体１４の一方の端部１４ａ（連結部１４ｄ）を中心に回動し、最終的には、仮想線で示す雄ホック体１４の状態に回動する。このとき、雄ホック体１４の他方の端部１４ｂにある雄ホック体１４の支え部１４ｃ，１４ｃが支持部材１８の支持部１８ｂ，１８ｂを摺勤し終え、支持部材１８の支持部１８ｄ，１８ｄの撓みが支持部材１８の弾力性により元に戻り、支え部１４ｃ，１４ｃが支持部１８ｂ，１８ｂにより支持されることになる。そして、保持部材１６の円弧状部１６ａに設けられた雄ホック体１４より小さい雄ホック体１５があらわれることになる。
【００２７】
つまり、雄ホック体１４より小さい雄ホック体１５は、駒８の他方の端部８ｇ側に取り付けられており、具体的には、雄ホック体１５は、雄ホック体１４と支持部材１８とが挟み込んでいる保持部材１６の一方の端部の円弧状の形状（円弧状部１６ａ）に取り付けられている。そのため、雄ホック体１４と駒８との間に雄ホック体１５が設けられることになる。そして、駒８の端部８ｇに取り付けられた雄ホック体１４を駒８の端部８ｇを中心に回勤して、駒８と並ぶ状態（図４（ｂ）に示す仮想線で示された雄ホック体１４の状態）にすることで雄ホック体１５が駒８上に現れることになる。
【００２８】
また、図４（ｂ）の仮想線で示す雄ホック体１４の状態から、矢印Ｃ方向へ雄ホック体１４の他方の端部１４ｂを、雄ホック体１４の一方の端部１４ａ（連結部１４ｄ）を中心に回動させる。雄ホック体１４の他方の端部１４ｂが矢印Ｃ方向へ移動するに従って、雄ホック体１４の一方の端部１４ａにある支え部１４ｃ，１４ｃが支持部材１８の支持部１８ｄ，１８ｄ上を摺動する。雄ホック体１４の支え部１４ｃ，１４ｃが支持部材１８の支持部１８ｂ，１８ｂを摺動することで支持部材１８の支持部１８ｂ，１８ｂが撓む。
【００２９】
さらに、雄ホック体１４の他方の端部１４ｂを矢印Ｃ方向へ回動させることにより、雄ホック体１４の他方の端部１４ｂも元の状態に戻る（図４（ａ）参照）。そして、支持部材１８の撓んだ支持部１８ｂ，１８ｂが、支持部材１８の弾力性により、元に戻る。なお、本例においては、図５に示すように、保持部材１６及び支持部材１８を駒８内に組み込んであり、雄ホック体１４の他方の端部１４ｂが駒８の表面部８ｅに接触することになる。
【００３０】
つぎに、駒８に連結される駒について説明する。駒２は、図６に示すように、平板状の部材であり、駒２の両方の端部（端面）２ａの中央部には凹部２ｂが設けられており、この凹部２ｂには駒８の凸部８ｂを組み込むことが可能になっている。また、駒２の側面２ｃには、駒２の一方の側面２ｃから他方の側面２ｃを貫通する孔部２ｄが設けられている。そして、駒２の凹部２ｂに駒８の凸部８ｂが組み込まれると、駒２の孔部２ｄと駒８の孔部８ｄとがつながるようになっている。さらに、駒２では、図６に示すように、矢印Ａ方向に沿って（駒２の長手方向に沿って）、表面部２ｅが湾曲して反り上がっている。
【００３１】
駒２に連結される駒４は、図７に示すように、駒２とほぼ同様の大きさの平板状の部材であり、駒２の一方の端部４ａの中央部には凸部４ｂが設けられており、この凸部４ｂには凸部４ｂを貫通する孔部４ｄが設けられている。この凸部４ｂは駒２の端面２ａの中央部に設けられた凹部２ｂに組み込むことが可能になっている。そして、駒２の凹部２ｂに駒４の凸部４ｂが組み込まれると、駒２の孔部２ｄと駒４の孔部４ｄとがつながるようになっている。また、駒４の他方の端部４ａの中央部には凹部４ｆが設けられており、その凹部４ｆに対応する駒４の側面４ｃには、駒４の一方の側面４ｃから他方の側面４ｃを貫通する孔部４ｄが設けられている。さらに、駒４では、図７に示すように、矢印Ａ方向に沿って（駒４の長手方向に沿って）、表面部４ｅが湾曲して反り上がっている。
【００３２】
この駒４に連結される駒１０は、図８に示すように、駒８と同様の細長い平板状の部材である。駒１０の一方の端面１０ａの中央部には凸部１０ｂが設けられている。また、凸部１０ｂには、孔部１０ｄが設けられており、凸部１０ｂを貫通している。この凸部１０ｂは駒４の端面４ａの中央部に設けられた凹部４ｆに組み込むことが可能になっている。そして、駒４の凹部４ｆに駒１０の凸部１０ｂが組み込まれると、駒４の孔部４ｄと駒１０の孔部１０ｄとがつながるようになっている。さらに、駒１０の側面１０ｃには、駒１０の一方の側面１０ｃから他方の側面１０ｃを貫通する孔部１０ｄが設けられている。また、駒１０では、図８に示すように、矢印Ａ方向に沿って（駒１０の長手方向に沿って）、表面部１０ｅが湾曲して反り上がっている。なお、駒１０の他方の端部１０ａには凹部、或いは凸部のいずれも設けられていない。
【００３３】
つぎに、帯体５の製造方法、すなわち、各駒２，４，８，１０の連結方法について説明する。各駒２，４，１０の連結に際しては、各駒２，４，８，１０の凹部２ｂ，４ｆと凸部８ｂ，４ｂ，１０ｂとを組み込んだ状態にする。そして、孔部８ｄと孔部２ｄ、孔部２ｄと孔部４ｄ、孔部４ｄと孔部１０ｄがつながるような状態にする。その状態で、図９に示すように、駒８と駒２の連結部分Ｇ、図示していないが、駒２と駒４の連結部分Ｇ、及び駒４と駒１０の連結部分Ｇに略コ字状の受止ホック体１２を取り付ける。受止ホック体１２は、図９に示すように、受止部１２ａと側板部１２ｂ，１２ｂとから構成されており、受止部１２ａに対して側板部１２ｂ，１２ｂが折り曲げられている。そして、側板部１２ｂ，１２ｂの間隔は駒８と駒２の連結部分Ｇを挟み込むだけの幅を有している。
【００３４】
受止ホック体１２の取り付けに際しては、図９に示すように、受止ホック体１２の側板部１２ｂ，１２ｂが駒８と駒２との連結部分Ｇを挟み込むように組み込む。具体的には、図９に示す矢印Ｄ方向より、受止ホック体１２を駒８と駒２との連結部分Ｇに近づけ、受止ホック体１２の側板部１２ｂ，１２ｂで駒８と駒２との連結部分Ｇを挟み込む。その際、側板部１２ｂ，１２ｂに設けられた孔部１２ｃ，１２ｃと駒２の孔部２ｄ，２ｄとが一致するようにする。側板部１２ｂ，１２ｂの孔部１２ｃ、１２ｃと駒２の孔部２ｄ，２ｄが一致したところで、図９に示す矢印Ｅ方向より固定用部材６を側板部１２ｂの孔部１２ｃから挿入する。
【００３５】
固定用部材６は側板部１２ｂの孔部１２ｃから駒２の孔部２ｄを通り、駒８の凸部８ｂの孔部８ｄを通過して、駒２の孔部２ｄを通り、側板部１２ｂの孔部１２ｃに到達する。このように、固定用部材６を駒８と駒２との連結部分Ｇに組み込んだ後に、固定用部材６が駒８と駒２との連結部分Ｇから抜けないように接着剤等を利用して固定用部材６の固着を駒２で行う。ただし、駒８と駒２とを固定するのではないので、駒８と駒２との連結部分Ｇを中心にいずれの駒２を回動させることも可能であり、連結部分Ｇが湾曲することも可能である。さらに、側板部１２ｂ，１２ｂから続いている折返部１２ｄ，１２ｄは、図９に示すように、駒２側へ折り返すことになる（図１参照）。
【００３６】
受止ホック体１２が駒８と駒２との連結部分Ｇに組み込まれると、図９に示すように、受止部１２ａが駒８と駒２との連結部分Ｇを被い、受止部１２ａと連結部分Ｇとの間に隙間ｓが形成されることになる。図示していない駒２と駒４の連結部分Ｇ、及び駒４と駒１０の連結部分Ｇについても同様に、受止ホック体１２を、固定用部材６を用いてそれぞれの連結部分Ｇに取り付けることになる。
【００３７】
また、駒８の側面８ｃ，８ｃ及び駒１０の側面１０ｃ，１０ｃに設けられた孔部８ｄ及び孔部１０ｄについても、同様に受止ホック体１２を、固定用部材６を用いて取り付けることになる。具体的には、駒８を用いて説明する。図９に示すように、矢印Ｄ方向より、受止ホック体１２を駒８に近づけ、受止ホック体１２の側板部１２ｂ，１２ｂで駒８を挟み込む。その際、側板部１２ｂ，１２ｂに設けられた孔部１２ｃ，１２ｃと駒８の孔部８ｄ，８ｄとが一致するようにする。側板部１２ｂ，１２ｂの孔部１２ｃ，１２ｃと駒８の孔部８ｄ，８ｄが一致したところで、図９に示す矢印Ｅ方向より固定用部材６を側板部１２ｂの孔部１２ｃから挿入する。
【００３８】
固定用部材６を駒８に組み込んだ後に、固定用部材６が駒８から抜けないように接着剤等を利用して固定用部材６の固着を行う。また、側板部１２ｂ，１２ｂから続いている折返部１２ｄ，１２ｄは、図９に示すように、駒８側へ折り返すことになる（図１参照）。受止ホック体１２が駒８に組み込まれると、図９に示すように、受止部１２ａが駒８を横切るように被い、受止部１２ａと連結部分Ｇとの問に隙間ｓが形成されることになる。図示していない駒１０の側面１０ｃ，１０ｃに設けられた孔部１０ｄについても、同様に受止ホック体１２を固定部材６を用いて取り付けることになる。このとき、受止ホック体１２同士の間隔を全て同じにすることでウェストの調節すべき長さを容易に判断することが可能になる。なお、本例での受止ホック体１２同士の間隔は全て同じになっている。
【００３９】
以上のようにして、駒２，４，８，１０が、端部同士を連結した連結部分Ｇが湾曲することが可能になるように、帯状に連結され、駒８には雄ホック体１４が取り付けられ、複数の受止ホック体１２が組み込まれたウェスト調節具１の使用方法について説明する。
【００４０】
図１０に示すように、スカート、ズボン等のウェスト部の合わせ部２０では、一方の合わせ部２２では雄鉤片２４が取り付けられており、他方の合わせ部２６では受止片２８が取り付けられている。そして、スカート、ズボン等の着脱に際して、これら雄鉤片２４と受止片２８とを掛止したり、その掛止を外したりすることになる。しかし、人のウェストが食後満腹で太くなったり、年齢とともにお腹が出てきてしまったりすると、本来の雄鉤片２４と受止片２８との掛止が容易ではなくなってしまう。
【００４１】
そこで、本発明であるウェスト調節具１を用いることになる。この場合、図１０（ａ）に示すように、まず、ウェスト調節具１の雄ホック体１４を他方の合わせ部２６の受止片２８に通し掛止する。その際、雄ホック体１４は弾力性のある支持部材１８により支持されているために、雄ホック体１４の端部１４ｂは駒８上に接触することになり、雄ホック体１４は受止片２８から外れ難くなる。このように外れ難くした状態で、実際のウェストに適合する位置の受止ホック体１２と、一方の合わせ部２２の雄鉤片２４とを掛止する。
【００４２】
本例の場合には、駒８側から数えて３個目の受止ホック体１２を用いることで実際の人のウェストに適合させることができている。このとき、各駒２，４，８，１０は、湾曲して反り上がっているということと、駒２，４，８，１０同士の連結部分Ｇが回動自在になっているということにより、人のウェストに容易にフィットし易くなっている。そして、受止ホック体１２同士の全ての間隔（駒８，１０の端部から最初の受止ホック体１２の間隔を含め）を所定の長さ、例えば、１ｃｍとなるように設定しておけば、実際の人のウェストに対応するためにはこのスカート、ズボン等のウェスト部を３ｃｍ長くする必要があると判断することが可能になる。ウェスト調節具全体を金属製又はセラミック製などの伸縮しない素材とすることで、間違いの少ない判断ができる。また、このウェスト調節具１は雄ホック体１４の端部１４ｂが駒８の表面部８ｅに接触することで、受止片２８を通した雄ホック体１４が受止片２８から外れ難くなるため、ウェスト調節具１がスカート、ズボン等から外れ難くなっている。
【００４３】
図１０（ｂ）は、雄ホック体１４の端部１４ｂを回動させて、小さい雄ホック体１５を用いる場合を示している。具体的には、駒８の端部８ｇに取り付けられた雄ホック体１４の端部１４ｂを駒８の端部８ｇ側を中心に回動して、駒８と並ぶ状態（図１０（ｂ）に示す状態）にすることで雄ホック体１５があらわれることになる。このように、小さい雄ホック体１５を出して、その小さい雄ホック体１５を受止片２８より小さい受止片２９に掛止し、上記の場合と同様に、実際のウェストに適合する位置の受止ホック体１２と、雄鉤片２４とを掛止する。
【００４４】
このように、雄ホック体１４とそれよりも小さい雄ホック体１５という二種類の雄ホック体１４，１５を備えることで、スカート、ズボン等に取り付けられた種々のサイズの受止片２８、２９に対応することが可能であり、また、このウェスト調節具１は取り外し可能であるため、必要とされる場合に、例えば、食後等に用いることができ、必要でないとき、例えば、食後時間が経ったときには、外しておくことができる。
【００４５】
図１１は、本発明の第２実施例を示す図で、（ａ）は斜視図、（ｂ）は駒８の側面図、（ｃ）は駒１０の側面図である。第１実施例と共通する部分には同じ符号を付しているので、相違点を中心に説明する。
【００４６】
図１１（ａ），（ｂ）に示すように、帯体５の一方側端部となる駒８には、折返片からなる雄ホック体３１が設けられ、その内側には、山形をした板バネからなる抜止部材３２が設けられている。雄ホック体３１は、外衣の合わせ部の一方に取り付けられている受止片２８と掛止するものである。この実施例では、雄ホック体３１は、Ｕ字型に折り曲げられた弾性を有する金属板で構成されており、Ｕ字の一方を駒８に溶接又はリベット等で固定されている。抜止部材３２は、山形の一端を駒８に固着し、他端は自由端となっていて、この自由端は駒８にほとんど接触した状態である。
【００４７】
図１１（ｂ）に示すように、受止片２８が雄ホック体３１内に入ると、抜止部材３２が雄ホック体３１の出口を塞ぎ、受止片２８が雄ホック体３１の外に出るのを防止する。これによってウェスト調節具を使用しない状態のとき、ズボンやスカートの雄鉤片２４から帯体５が外れて落下するのを防止することができる。
【００４８】
帯体５の他方側の端部である駒１０には、雄ホック体３１より小さい雄ホック体３３が取り付けられている。この雄ホック体３３も、幅が狭いなど雄ホック体３１より小さいだけで、雄ホック体３１と同様に形成され、取り付けられている。また、雄ホック体３３の内側には、抜止部材３４として山形の板バネがある。この抜止部材３４も、抜止部材３２と同じである。
【００４９】
このように小型の雄ホック体３３を設けることによって、雄ホック体３１では掛止し難い又は掛止できない小型の受止片２９を掛止することができる。
【００５０】
第２の実施例において、ウェスト調節具の落下が問題にならない場合には、抜止部材３２，３３を省略することも可能である。また、上記の実施例において、雄ホック体は受止片と掛止し、受止ホック体は雄鉤片と掛止するとしているが、雄ホック体や受止ホック体の形状等を変更することによって、雄ホック体と雄鉤片、受止ホック体と受止片とを掛止する構成とすることも可能である。
【００５１】
なお、第１と第２の実施例のいずれの場合も、すべてのパーツの修理取り替えが可能である。また、スカートやズボンのファスナーの取手に鎖の一端をつなぎ、この鎖の他端を本発明のウェスト調節具の受止ホック体に引っかけるようにすれば、ファスナーのずり落ちを防止することができる。
【図面の簡単な説明】
【００５２】
【図１】本発明であるウェスト調節具の全体を示す斜視図である。
【図２】本発明であるウェスト調節具を構成する、雄ホック体が取り付けられた駒の斜視図である。
【図３】本発明であるウェスト調節具の駒に取り付けられた雄ホック体の構成を示す説明図である。
【図４】図３に示す雄ホック体の動作を示す説明図である。（ａ）は雄ホック体が回動する前の状態を示す説明図である。（ｂ）は雄ホック体が回動する状態を示す説明図である。
【図５】駒に雄ホック体が取り付けられた状態を示す説明図である。
【図６】本発明であるウェスト調節具を構成する駒の斜視図である。
【図７】本発明であるウェスト調節具を構成する駒の斜視図である。
【図８】本発明であるウェスト調節具を構成する駒の斜視図である。
【図９】駒に受止ホック体を取り付ける状態を示す説明図である。
【図１０】本発明であるウェスト調節具の使用状態を示す説明図である。（ａ）はウェスト調節具の雄ホック体を生地の受止片に掛止し、ウェスト調節具の受止ホック体を生地の雄鉤片に掛止した状態を示す説明図である。（ｂ）はウェスト調節具の小さい雄ホック体を生地の受止片に掛止し、ウェスト調節具の受止ホック体を生地の雄鉤片に掛止した状態を示す説明図である。
【図１１】本発明の第２実施例を示す図で、（ａ）は斜視図、（ｂ）は駒の側面図、（ｃ）は駒の側面図である。
【図１２】従来のウェストサイズ調節具を示す分解斜視図である。
【図１３】従来の伸縮調整鉤ホック分解状態を示す斜視図である。
【図１４】従来の伸縮調整鉤ホックを用いて、スカートのウェスト部における嵌合前の状態を示す拡大断面図である。
【符号の説明】
【００５３】
１        ウェスト調節具
２，４，８，１０      駒
５        帯体
６        固定用部材
１２      受止ホック体
１４      雄ホック体（第一雄ホック体）
１５      雄ホック体（第二雄ホック体）
１６      保持部材
１８      支持部材
２４      雄鉤片
２８，２９      受止片
Ｇ        連結部分
【図１】
2006022462.tif 000003
【図２】
2006022462.tif 000004
【図３】
2006022462.tif 000005
【図４】
2006022462.tif 000006
【図５】
2006022462.tif 000007
【図６】
2006022462.tif 000008
【図７】
2006022462.tif 000009
【図８】
2006022462.tif 000010
【図９】
2006022462.tif 000011
【図１０】
2006022462.tif 000012
【図１１】
2006022462.tif 000013
【図１２】
2006022462.tif 000014
【図１３】
2006022462.tif 000015
【図１４】
2006022462.tif 000016